(57)【要約】      （修正有）【課題】後ろ歩きをする場合に、帽子のつばに取り付けて後方を確認できる後ろ歩き補助器具を提供する。後ろ歩きは、健康維持やダイエット等に効果があると言われているが、後方を確認しながら行わないと危険を伴う。このような場合に本発明を使用することにより安全に後ろ歩きをすることが可能となる。【解決手段】任意の素材で造られた形状自在形成棒の片方に、任意の素材および任意の形状で造られた鏡が設けられ、もう片方に、任意の素材および任意の形状で造られたクリップが設けられた構造からなる後ろ歩き補助器具。【選択図】図１
2017225778.tif 000002
【特許請求の範囲】
【請求項１】
任意の素材で造られた形状自在形成棒の片方に、任意の素材および任意の形状で造られた鏡が設けられ、もう片方に、任意の素材および任意の形状で造られたクリップが設けられた構造からなる後ろ歩き補助器具。
【請求項２】
任意の素材で造られた形状自在形成棒の両端に、任意の素材および任意の形状で造られた鏡が設けられ、形状自在形成棒の中間に、任意の素材および任意の形状で造られたクリップが設けられた構造からなる後ろ歩き補助器具。
【発明の詳細な説明】
【技術分野】
【０００１】
本発明は、形状自在形成棒の片方に鏡を設け、もう片方にクリップを設けた構造からなる後ろ歩き補助器具に関するものである。
【背景技術】
【０００２】
これまでいくつかの後方確認器具が考案されている。
【先行技術文献】
【特許文献】
【０００３】
【特許文献１】特開２０１０−１２４３３９
【特許文献２】特開２０１２−２５２０５４
【特許文献３】特開平７−２８１１３９
【非特許文献】
【０００４】
【非特許文献１】実開昭６３−０８０５２１
【非特許文献２】実用新案登録第３１１４６４７号
【発明の概要】
【発明が解決しようとする課題】
【０００５】
これまで考案されている後方確認器具は、メガネに取り付けるもの等があるが、これだと目と鏡の距離が近過ぎて見えにくい面がある。本発明はこれらの問題を解決する他、簡単な構造で、形状自在形成棒を使用し、後方を確認する鏡の位置や角度を簡単に調整できるようにした。
【課題を解決するための手段】
【０００６】
任意の素材で造られた形状自在形成棒の片方に、任意の素材および任意の形状で造られた鏡が設けられ、もう片方に、任意の素材および任意の形状で造られたクリップが設けられた構造からなる後ろ歩き補助器具。
【発明の効果】
【０００７】
本発明により、健康維持やダイエット等に効果があると言われる後ろ歩きをする場合に、後方を確認することができ、危険を防止することができる。
【図面の簡単な説明】
【０００８】
【図１】本発明の外観図
【図２】本発明の分解図
【図３】本発明の試作品を示す図
【図４】図３を裏から見た図
【図５】本発明の試作品の分解図
【図６】本発明の他の試作品を示す図
【図７】図６を裏から見た図
【図８】本発明の他の試作品の分解図
【図９】本発明の実施例を示す図
【図１０】図９の実施例を別の方向から見た図
【図１１】図９の実施例を別の方向から見た図
【図１２】本発明の他の実施例を示す図
【図１３】図１２の実施例を別の方向から見た図
【図１４】図１２の実施例を別の方向から見た図
【発明を実施するための形態】
【０００９】
本発明の後ろ歩き補助器具は、任意の素材で造られ形状を自在に形成することが可能な形状自在形成棒（１）、任意の素材および任意の形状で造られた鏡（２）および任意の素材および任意の形状で造られたクリップ（３）とからなっている。鏡（２）およびクリップ（３）は、接着剤、ボルト、ナット、等の取り付け手段により、形状自在形成棒（１）に取り付けられる。形状自在形成棒（１）は、力を加え形状を簡単に自在に形成できる棒状のものを指し、様々な素材で造ることができる。アルミニウムや軟鉄、スズ、その他の金属、種々の素材で自在に変形できるように加工したものなど、形状を自在に変形、形成できるものなら何でも良く、長さやその太さも任意、断面の形状も円形が一般的であるが、四角形や三角形、多角形、等、何でも良い。鏡（２）は、各種プラスチックやガラスなどの任意の素材及び任意の形状で造ることができるが、帽子のつば（４）に装着して使用することから、軽いプラスチックのものが望ましい。鏡（２）は、平面鏡の他、凸面鏡、凹面鏡でも良く、その形状や大きさは任意である。クリップ（３）は、金属や各種プラスチック等、様々な任意の素材及び任意の形状で造ることが可能であるが、帽子のつば（４）に取り付けることができるものなら何でも良い。代表的なクリップとしては、目玉クリップ、ダブルクリップ、スライドクリップ、山形クリップ、バチ型クリップ、ブルドッククリップ、等、様々なものがあるが、帽子のつば（４）に装着できるものなら何でも利用でき、大きさも様々なものが利用できる。帽子のつば（４）が、吸盤が取り付けられる素材の場合には、クリップ（３）の代わりに、吸盤を利用することもできる。本発明は、後ろ歩きをする場合に後方を確認することができる補助器具であり、これを使用することにより事故等を防止することができる。朝に散歩をしていると、後ろ歩きを行っている人達がいることに気付く。後ろ歩きは、健康維持やダイエット等に効果があると言われており、インターネット等を見ると、後ろ歩きに関する様々な記事が書かれている。後ろ歩きは、後ろの確認をしないと事故等の危険を伴う。本発明は、帽子のつば（４）に取り付けることにより簡単に後ろの確認をすることが可能であり、後ろ歩きを行う場合の手助けとなる。本発明により、後ろ歩きを危険無く行うことが可能となり、健康維持やダイエット等に効果がある後ろ歩きをより普及させることができる。後ろ歩きに限らず、前向きに歩く場合や、自転車で走行する場合に利用すれば、後ろの状態を確認することができ、事故防止の一助となる。本発明は、簡単な構造で、適度な長さの形状自在形成棒（１）を使用し、後方を確認する鏡（２）の位置や角度を簡単に調整できるようにしたことが特長となっている。構造が簡単で、形状自在形成棒（１）により目と鏡（２）の適度な距離や鏡（２）の上下、左右の角度を簡単に調整できる。目と鏡（２）の最良の距離を設定できる適切な長さの形状自在形成棒（１）を使用し、鏡（２）の形状や大きさは、後方を確認できる最良のものを使用して本発明を得る。本発明は、健康維持やダイエット等に効果があり、構造が簡単で廉価で製品化ができる後ろ歩き補助器具を提案するものである。本発明の使用により国民の健康維持ができれば、医療費の削減にも繋がり社会的にも意義がある。
【実施例１】
【００１０】
図１は、本発明の外観図である。本発明は、形状自在形成棒（１）、鏡（２）及びクリップ（３）とからなっている。形状自在形成棒（１）の片方に鏡（２）が設けられ、もう片方にクリップ（３）が設けられている。形状自在形成棒（１）は、手で形状を自在に形成することができるもので、任意の素材で造ることができる。素材としては、アルミニウムや軟鉄、スズ、その他の金属、種々の素材で自在に変形できるように加工したものなど、簡単に形状を変形、形成できるものなら何でも良い。その太さも任意で断面の形状も円形が一般的であるが四角形や三角形、多角形、等の形状でも良い。鏡（２）は各種プラスチックやガラス等の素材で造ることが可能であり、その形状や大きさは任意である。本発明は帽子のつば（４）に取り付けて使用することから、鏡（２）は軽いプラスチックのものが望ましい。鏡（２）は、平面鏡の他、凸面鏡、凹面鏡でも良いが、実用的なのは、平面鏡及び凸面鏡である。クリップ（３）は、金属や各種プラスチック等、様々な任意の素材及び任意の形状で造ることが可能である。帽子のつば（４）に取り付けることができるものなら何でも良い。代表的なクリップとしては、目玉クリップ、ダブルクリップ、スライドクリップ、山形クリップ、バチ型クリップ、ブルドッククリップ、等、様々なものがあるが、帽子のつば（４）に装着できるものなら何でも利用でき、大きさも様々なものが利用できる。図２は、本発明の分解斜視図を示している。鏡（２）およびクリップ（３）は、接着剤、ボルト、ナット、等の取り付け手段により、形状自在形成棒（１）に取り付けられる。図３は、試作品を示している。図４は、図３で示される試作品を裏返した場合を示しているが、鏡（２）およびクリップ（３）は、強力接着剤で形状自在形成棒（１）に取り付けられている。図５は、試作品の分解図を示している。図９は、本発明を帽子のつばに取り付けて使用する際の正面から見た場合を示している。図１０は、横から見た場合を示しており、図１１は後方から見た場合を示している。形状自在形成棒（１）に取り付けられた鏡（２）は、後方を映し出すことができる位置にあることが分かる。実際にこの試作品を帽子のつば（４）に装着して試してみると、後方が鮮明に確認できることが分かった。形状自在形成棒（１）は、自在に変形できるため、本発明を帽子のつば（４）に取り付けた後に鏡（２）で後方を確認できるように形状自在形成棒（１）を変形して調整する。目と鏡（２）の距離が近過ぎると見えにくいが、本発明では形状自在形成棒（１）を自在に変形させることができるので、簡単に調整できる。目と鏡（２）の距離及び鏡（２）の上下、左右の角度は簡単に調整できる。試作品は軽いので、これを実際に装着して使用しても何の不具合も無い。後ろ歩きは、手に鏡を持って行うこともできるが、実際にこれを試してみると体の動きに伴い手に持った鏡も動くため後方確認には不具合があり、手も疲れる。これを本発明の試作品で試したところ問題なく後方確認を行うことができた。本発明を使用することにより、健康維持やダイエット等に効果があると言われる後ろ歩きを行う場合の後方確認が容易になり、危険を防止できる。後ろ歩きに限らず、通常の散歩や自転車に乗る場合等に使用しても良い。
【実施例２】
【００１１】
図６は、本発明の他の実施例を示している。図７は、図６で示される試作品を裏から見た図であるが、２つの鏡（２）が形状自在形成棒（１）の両端に、クリップ（３）がその中間に強力接着剤で取り付けられている。図８は、図６で示される試作品の分解図を示している。この実施例の場合は、任意の素材で造られた形状自在形成棒（１）の両端に、任意の素材および任意の形状で造られた鏡（２）が設けられ、形状自在形成棒（１）の中間に、任意の素材および任意の形状で造られたクリップ（３）が設けられた構造となっている。この実施例の場合には、左右の２つの鏡（２）で後方を確認することができるが、実用的には頭部を動かすことにより、ひとつの鏡（２）で後方の左右を確認できるため、２つの鏡（２）は必要ないであろう。ただ、構造的にはこのような実施例も可能である。図１２、図１３、図１４は、この実施例を使用する場合を示している。
【産業上の利用可能性】
【００１２】
本発明は、工業的に量産することが可能であるため、産業上の利用可能性を有する。
【符号の説明】
【００１３】
１    形状自在形成棒
２    鏡
３    クリップ
４    つば
【図１】
2017225778.tif 000003
【図２】
2017225778.tif 000004
【図３】
2017225778.tif 000005
【図４】
2017225778.tif 000006
【図５】
2017225778.tif 000007
【図６】
2017225778.tif 000008
【図７】
2017225778.tif 000009
【図８】
2017225778.tif 000010
【図９】
2017225778.tif 000011
【図１０】
2017225778.tif 000012
【図１１】
2017225778.tif 000013
【図１２】
2017225778.tif 000014
【図１３】
2017225778.tif 000015
【図１４】
2017225778.tif 000016
【手続補正書】
【提出日】平成28年6月26日(2016.6.26)
【手続補正１】
【補正対象書類名】明細書
【補正対象項目名】全文
【補正方法】変更
【補正の内容】
【発明の詳細な説明】
【技術分野】
【０００１】
本発明は、形状自在形成棒の片方に鏡を設け、もう片方にクリップを設けた構造からなる後ろ歩き補助器具に関するものである。
【背景技術】
【０００２】
これまでいくつかの後方確認器具が考案されている。
【先行技術文献】
【特許文献】
【０００３】
【特許文献１】特開２０１０−１２４３３９
【特許文献２】特開２０１２−２５２０５４
【特許文献３】特開平７−２８１１３９
【非特許文献】
【０００４】
【非特許文献１】実開昭６３−０８０５２１
【非特許文献２】実用新案登録第３１１４６４７号
【発明の概要】
【発明が解決しようとする課題】
【０００５】
これまで考案されている後方確認器具は、メガネに取り付けるもの等があるが、これだと目と鏡の距離が近過ぎて見えにくい等の問題がある。本発明はこれらの問題を解決する他、簡単な構造で、形状自在形成棒を使用し、後方を確認する鏡の位置や角度を簡単に調整できるようにした。
【課題を解決するための手段】
【０００６】
任意の素材で造られた形状自在形成棒の片方に、任意の素材および任意の形状で造られた鏡が設けられ、もう片方に、任意の素材および任意の形状で造られたクリップが設けられた構造からなる後ろ歩き補助器具。
【発明の効果】
【０００７】
本発明により、健康維持やダイエット等に効果があると言われる後ろ歩きをする場合に、後方を確認することができ、危険を防止することができる。
【図面の簡単な説明】
【０００８】
【図１】本発明の外観図
【図２】本発明の分解図
【図３】本発明の試作品を示す図
【図４】図３を裏から見た図
【図５】本発明の試作品の分解図
【図６】本発明の他の試作品を示す図
【図７】図６を裏から見た図
【図８】本発明の他の試作品の分解図
【図９】本発明の実施例を示す図
【図１０】図９の実施例を別の方向から見た図
【図１１】図９の実施例を別の方向から見た図
【図１２】本発明の他の実施例を示す図
【図１３】図１２の実施例を別の方向から見た図
【図１４】図１２の実施例を別の方向から見た図
【発明を実施するための形態】
【０００９】
本発明の後ろ歩き補助器具は、任意の素材で造られ形状を自在に形成することが可能な形状自在形成棒（１）、任意の素材および任意の形状で造られた鏡（２）および任意の素材および任意の形状で造られたクリップ（３）とからなっている。鏡（２）およびクリップ（３）は、接着剤、ボルト、ナット、等の取り付け手段により、形状自在形成棒（１）に取り付けられる。形状自在形成棒（１）は、力を加え形状を簡単に自在に形成できる棒状のものを指し、様々な素材で造ることができる。アルミニウムや軟鉄、スズ、その他の金属、種々の素材で自在に変形できるように加工したものなど、形状を自在に変形、形成できるものなら何でも良く、長さやその太さも任意、断面の形状も円形が一般的であるが、四角形や三角形、多角形、等、何でも良い。鏡（２）は、各種プラスチックやガラスなどの任意の素材及び任意の形状で造ることができるが、帽子のつば（４）に装着して使用することから、軽いプラスチックのものが望ましい。鏡（２）は、平面鏡の他、凸面鏡、凹面鏡でも良く、その形状や大きさは任意である。クリップ（３）は、金属や各種プラスチック等、様々な任意の素材及び任意の形状で造ることが可能であるが、帽子のつば（４）に取り付けることができるものなら何でも良い。代表的なクリップとしては、目玉クリップ、ダブルクリップ、スライドクリップ、山形クリップ、バチ型クリップ、ブルドッククリップ、等、様々なものがあるが、帽子のつば（４）に装着できるものなら何でも利用でき、大きさも様々なものが利用できる。帽子のつば（４）が、吸盤が取り付けられる素材の場合には、クリップ（３）の代わりに、吸盤を利用することもできる。本発明は、後ろ歩きをする場合に後方を確認することができる補助器具であり、これを使用することにより事故等を防止することができる。本発明の使用者は、本発明を帽子のつば（４）にクリップ（３）で取り付け、形状自在形成棒（１）を自在に変形させて鏡（２）の位置と上下、左右の角度を見やすいように調整し、鏡（２）に映る内容を見ることにより、後方の状態を確認することができる。朝に散歩をしていると、後ろ歩きを行っている人達がいることに気付く。後ろ歩きは、健康維持やダイエット等に効果があると言われており、インターネット等を見ると、後ろ歩きに関する様々な記事が書かれている。後ろ歩きは、後ろの確認をしないと事故等の危険を伴う。本発明は、帽子のつば（４）に取り付けることにより簡単に後ろの確認をすることが可能であり、後ろ歩きを行う場合の手助けとなる。本発明により、後ろ歩きを危険無く行うことが可能となり、健康維持やダイエット等に効果がある後ろ歩きをより普及させることができる。後ろ歩きに限らず、前向きに歩く場合や、自転車で走行する場合に利用すれば、後ろの状態を確認することができ、事故防止の一助となる。本発明は、簡単な構造で、適度な長さの形状自在形成棒（１）を使用し、後方を確認する鏡（２）の位置や角度を簡単に調整できるようにしたことが特長となっている。構造が簡単で、形状自在形成棒（１）により目と鏡（２）の適度な距離や鏡（２）の上下、左右の角度を簡単に調整できる。目と鏡（２）の最良の距離を設定できる適切な長さの形状自在形成棒（１）を使用し、鏡（２）の形状や大きさは、後方を確認できる最良のものを使用して本発明を得る。本発明は、健康維持やダイエット等に効果があり、構造が簡単で廉価で製品化ができる後ろ歩き補助器具を提案するものである。本発明の使用により国民の健康維持ができれば、医療費の削減にも繋がり社会的にも意義がある。
【実施例１】
【００１０】
図１は、本発明の外観図である。本発明は、形状自在形成棒（１）、鏡（２）及びクリップ（３）とからなっている。形状自在形成棒（１）の片方に鏡（２）が設けられ、もう片方にクリップ（３）が設けられている。形状自在形成棒（１）は、手で形状を自在に形成することができるもので、任意の素材で造ることができる。素材としては、アルミニウムや軟鉄、スズ、その他の金属、種々の素材で自在に変形できるように加工したものなど、簡単に形状を変形、形成できるものなら何でも良い。その太さも任意で断面の形状も円形が一般的であるが四角形や三角形、多角形、等の形状でも良い。鏡（２）は各種プラスチックやガラス等の素材で造ることが可能であり、その形状や大きさは任意である。本発明は帽子のつば（４）に取り付けて使用することから、鏡（２）は軽いプラスチックのものが望ましい。鏡（２）は、平面鏡の他、凸面鏡、凹面鏡でも良いが、実用的なのは、平面鏡及び凸面鏡である。クリップ（３）は、金属や各種プラスチック等、様々な任意の素材及び任意の形状で造ることが可能である。帽子のつば（４）に取り付けることができるものなら何でも良い。代表的なクリップとしては、目玉クリップ、ダブルクリップ、スライドクリップ、山形クリップ、バチ型クリップ、ブルドッククリップ、等、様々なものがあるが、帽子のつば（４）に装着できるものなら何でも利用でき、大きさも様々なものが利用できる。図２は、本発明の分解斜視図を示している。鏡（２）およびクリップ（３）は、接着剤、ボルト、ナット、等の取り付け手段により、形状自在形成棒（１）に取り付けられる。図３は、試作品を示している。図４は、図３で示される試作品を裏返した場合を示しているが、鏡（２）およびクリップ（３）は、強力接着剤で形状自在形成棒（１）に取り付けられている。図５は、試作品の分解図を示している。本発明の使用者は、本発明を帽子のつば（４）にクリップ（３）で取り付け、形状自在形成棒（１）を自在に変形させて鏡（２）の位置と上下、左右の角度を見やすいように調整し、鏡（２）に映る内容を見ることにより、後方の状態を確認することができる。図９は、本発明を帽子のつばに取り付けて使用する際の正面から見た場合を示している。図１０は、横から見た場合を示しており、図１１は後方から見た場合を示している。形状自在形成棒（１）に取り付けられた鏡（２）は、後方を映し出すことができる位置にあることが分かる。実際にこの試作品を帽子のつば（４）に装着して試してみると、後方が鮮明に確認できることが分かった。形状自在形成棒（１）は、自在に変形できるため、本発明を帽子のつば（４）に取り付けた後に鏡（２）で後方を確認できるように形状自在形成棒（１）を変形して調整する。目と鏡（２）の距離が近過ぎると見えにくいが、本発明では形状自在形成棒（１）を自在に変形させることができるので、簡単に調整できる。目と鏡（２）の距離及び鏡（２）の上下、左右の角度は簡単に調整できる。試作品は軽いので、これを実際に装着して使用しても何の不具合も無い。後ろ歩きは、手に鏡を持って行うこともできるが、実際にこれを試してみると体の動きに伴い手に持った鏡も動くため後方確認には不具合があり、手も疲れる。これを本発明の試作品で試したところ問題なく後方確認を行うことができた。本発明を使用することにより、健康維持やダイエット等に効果があると言われる後ろ歩きを行う場合の後方確認が容易になり、危険を防止できる。後ろ歩きに限らず、通常の散歩や自転車に乗る場合等に使用しても良い。
【実施例２】
【００１１】
図６は、本発明の他の実施例を示している。図７は、図６で示される試作品を裏から見た図であるが、２つの鏡（２）が形状自在形成棒（１）の両端に、クリップ（３）がその中間に強力接着剤で取り付けられている。図８は、図６で示される試作品の分解図を示している。この実施例の場合は、任意の素材で造られた形状自在形成棒（１）の両端に、任意の素材および任意の形状で造られた鏡（２）が設けられ、形状自在形成棒（１）の中間に、任意の素材および任意の形状で造られたクリップ（３）が設けられた構造となっている。この実施例の場合の本発明の使用方法は実施例１の場合と同様である。この実施例の場合には、左右の２つの鏡（２）で後方を確認することができるが、実用的には頭部を動かすことにより、ひとつの鏡（２）で後方の左右を確認できるため、２つの鏡（２）は必要ないであろう。ただ、構造的にはこのような実施例も可能である。図１２、図１３、図１４は、この実施例を使用する場合を示している。
【産業上の利用可能性】
【００１２】
本発明は、工業的に量産することが可能であるため、産業上の利用可能性を有する。
【符号の説明】
【００１３】
１    形状自在形成棒
２    鏡
３    クリップ
４    つば